(57)【要約】【課題】アラビア数字を用いずに数字を正確に認識することが可能になるため、誤配を防止することができると共に、配達員を含む第三者に対し個人情報を知られることなく受取人及び送り主を示すことができる配送伝票表示装置を提供する。【解決手段】配送伝票表示装置１は、受取人及び送り主の情報を示すものであり、０、１、２、３、４、５、６、７、８、９の１０種の各数字に対する少なくとも１０種の図形が予め規定されていて、配送物の受取人及び送り主を示す情報として、郵便番号を図形で表現した郵便番号図形表示２１、集配センター番号及びサテライト番号を図形で表現した集配センター番号図形表示２２及びサテライト番号図形表示２３、受け箱番号を図形で表現した受け箱番号図形表示２５、並びに、個人番号を図形で表現した個人番号図形表示２６を、書き換え可能な表示部２に表示させるものである。【選択図】図１
2016055975.tif 000002
【特許請求の範囲】
【請求項１】
配送物の受取人を示す情報として、前記受取人の住所の郵便番号、前記受取人の住所を管轄する配送用施設を示す配送用施設番号、前記受取人の住所に設置された受け箱を示す受け箱番号、及び、前記受取人の受け箱を使用する人の中で前記受取人に対して予め付与された前記受取人の個人番号を少なくとも含んでいる受取人識別番号を無線で受信すると共に、前記配送物の送り主を示す情報として、前記送り主の住所の郵便番号、前記送り主の住所を管轄する配送用施設を示す配送用施設番号、前記送り主の住所に設置された受け箱を示す受け箱番号、及び、前記送り主の受け箱を使用する人の中で前記送り主に対して予め付与された前記送り主の個人番号を少なくとも含んでいる送り主識別番号を無線で受信する無線通信部と、
前記無線通信部の受信した前記受取人識別番号及び前記送り主識別番号を記憶する記憶部と、
表示内容を書き換え可能な表示部と、
０、１、２、３、４、５、６、７、８、９の１０種の各数字に対する少なくとも１０種の図形が予め規定されていて、前記記憶部に記憶されている前記受取人識別番号及び前記送り主識別番号の各数字を、前記図形を用いて表現した受取人識別番号図形表示及び送り主識別番号図形表示を、前記表示部に表示させる制御部とを、
備えることを特徴とする配送伝票表示装置。
【請求項２】
前記制御部は、前記図形として、数字「１」を「∧」の形状で表し、数字「２」を「∧」を右回りに９０°回転させた形状で表し、数字「３」を「∧」を１８０°回転させた形状で表し、数字「４」を「∧」を右回りに２７０°回転させた形状で表し、数字「５」を「／」の形状で表し、数字「９」を「▽」の形状で表し、数字「８」を「▽」を右回りに９０°回転させた形状で表し、数字「７」を「▽」を１８０°回転させた形状で表し、数字「６」を「▽」を右回りに２７０°回転させた形状で表し、数字「０」を「×」を含む形状で表して、前記表示部に表示させることを特徴とする請求項１に記載の配送伝票表示装置。
【請求項３】
前記制御部は、前記配送物の管理に必要な温度情報、及び、前記配送物の配送に要求される配送スピード情報の少なくとも一方を、前記表示部に図形で表示させることを特徴とする請求項１又は２に記載の配送伝票表示装置。
【請求項４】
前記制御部が、前記送り主識別番号図形表示から前記受取人識別番号図形表示に向かう方向で矢印の図形を前記表示部に表示させ、前記無線通信部の受信したコマンドに基づいて、前記矢印の方向を逆向きに変更表示可能であることを特徴とする請求項１から３のいずれかに記載の配送伝票表示装置。
【請求項５】
前記配送物を収容するための収容部を有すると共に、この収容部を施錠可能な電気錠が設けられている携帯型の配送容器を備え、
前記電気錠は、前記制御部によって施錠及び開錠が制御されていて、
前記制御部は、前記無線通信部の受信したコマンドに基づいて、前記電気錠を開錠することを特徴とする請求項１から４のいずれかに記載の配送伝票表示装置。
【請求項６】
受取人の住所の郵便番号、前記受取人の住所を管轄する配送用施設を示す配送用施設番号、前記受取人の住所に設置された受け箱を示す受け箱番号、及び、前記受取人の受け箱を使用する人の中で前記受取人に対して予め付与された前記受取人の個人番号を少なくとも含んで受取人識別番号が決められており、
０、１、２、３、４、５、６、７、８、９の１０種の各数字に対する少なくとも１０種の図形が予め規定されていて、
前記受取人識別番号の各数字を前記図形を用いて表現した受取人識別番号図形表示が表示部に表示されている配送伝票表示装置を用いて配達される配送物の受け箱であって、
前記配送物を入れるための入口扉と、
前記入口扉に設けられた電気錠と、
デジタルカメラと、
前記デジタルカメラが撮像した前記表示部のデジタル写真を画像処理して前記受取人識別番号図形表示を検出し、前記受取人識別番号に変換して出力する画像処理部と、
その受け箱の住所の郵便番号、前記受け箱の住所を管轄する配送用施設を示す配送用施設番号、前記受け箱を示す受け箱番号を予め記憶する記憶部と、
前記画像処理部の出力する前記受取人識別番号に含まれる郵便番号、配送用施設番号、及び受け箱番号と、前記記憶部に記憶されている前記受け箱の郵便番号、配送用施設番号、及び受け箱番号とを比較して、一致しているときに前記電気錠を開錠させる制御部とを、
備えることを特徴とする受け箱。
【発明の詳細な説明】
【技術分野】
【０００１】
本発明は、配送物に受取人及び送り主の情報を表示するための配送伝票表示装置、及びこの配送伝票表示装置の配達に適した受け箱に関するものである。
【背景技術】
【０００２】
郵便物、宅配物（宅配便貨物）などの配送物には、受取人及び送り主の郵便番号、住所、氏名等の情報が文字で記載されている。郵便番号は現在７桁のアラビア数字によって表されている。郵便局等では、郵便番号をＯＣＲ（光学文字認識）により読み取って、自動的に仕分けを行う区分機が用いられている。
【０００３】
ＯＣＲでは数字の判別が難しい場合がある。例えば、数字の「１」、「７」、「９」は筆跡が類似しやすいため、何れの数字であるか判別できない場合がある。同様に、数字の「３」、「８」の筆跡が類似することや、数字の「４」、「６」の筆跡が類似することがある。これら数字は手書きの場合に特に筆跡が類似しやすくなるが、印字した場合であっても筆跡（フォント形状）が類似してしまう場合もある。区分機が郵便番号の読み取りを誤ると、誤配（誤配達）の原因になりかねない。そこで、誤配ゼロを目指すために、区分機で区分した後に、全ての郵便物を人間が目視で道順組立することが行われている。
【０００４】
しかしながら、目視で郵便物の手区分を行っても、数字を見誤ってしまう場合があり得る。それは、形状が類似しやすいアラビア数字特有の問題であると考えられる。
【０００５】
又、配送物の受取人及び送り主の氏名を含む情報は個人情報である。配達伝票が第三者に見られてしまうと個人情報が一目瞭然に分かってしまう。特に女性や有名人などは、第三者はもちろん例え配達員に対してであっても、個人情報を知られたくないと思っている人が多い。
【０００６】
例えば特許文献１には、送り主及び受取人を数字で示した送り主用識別番号及び相手先識別番号を配送伝票等に表示する配達システムが記載されている。この配達システムでは、配送伝票には識別番号しか記載されていないので、輸送途中に第三者に個人情報を知られることを防止できる。しかしながら、配達先に届けるときに、送り主情報及び配達先情報をプリンターで印字するため、配達員に対しては個人情報が知られてしまう。
【先行技術文献】
【特許文献】
【０００７】
【特許文献１】特開２００５−５３６９４号公報
【発明の概要】
【発明が解決しようとする課題】
【０００８】
本発明は前記の課題を解決するためになされたもので、アラビア数字を用いずに数字を正確に認識することが可能になるため誤配を防止することができると共に、配達員を含む第三者に対して個人情報を知られることなく受取人及び送り主を示すことができる配送伝票表示装置を提供することを目的とする。又、配送伝票表示装置の配達に適しており、誤配を防止できる受け箱を提供することを目的とする。
【課題を解決するための手段】
【０００９】
特許請求の範囲の請求項１に記載された配送伝票表示装置は、配送物の受取人を示す情報として、前記受取人の住所の郵便番号、前記受取人の住所を管轄する配送用施設を示す配送用施設番号、前記受取人の住所に設置された受け箱を示す受け箱番号、及び、前記受取人の受け箱を使用する人の中で前記受取人に対して予め付与された前記受取人の個人番号を少なくとも含んでいる受取人識別番号を無線で受信すると共に、前記配送物の送り主を示す情報として、前記送り主の住所の郵便番号、前記送り主の住所を管轄する配送用施設を示す配送用施設番号、前記送り主の住所に設置された受け箱を示す受け箱番号、及び、前記送り主の受け箱を使用する人の中で前記送り主に対して予め付与された前記送り主の個人番号を少なくとも含んでいる送り主識別番号を無線で受信する無線通信部と、前記無線通信部の受信した前記受取人識別番号及び前記送り主識別番号を記憶する記憶部と、表示内容を書き換え可能な表示部と、０、１、２、３、４、５、６、７、８、９の１０種の各数字に対する少なくとも１０種の図形が予め規定されていて、前記記憶部に記憶されている前記受取人識別番号及び前記送り主識別番号の各数字を、前記図形を用いて表現した受取人識別番号図形表示及び送り主識別番号図形表示を、前記表示部に表示させる制御部とを、備えることを特徴とする。
【００１０】
この構成により、受取人及び送り主を識別番号で特定することが可能であるので、配達人を含む第三者に対して個人情報を知られることなく、配送物の配達を行うことができる。さらに、数字を図形で表すことで、数字を正確に認識することが可能になるため、誤配を防止することができる。
【００１１】
請求項２に記載された配送伝票表示装置は、請求項１に記載のものであり、前記制御部は、前記図形として、数字「１」を「∧」の形状で表し、数字「２」を「∧」を右回りに９０°回転させた形状で表し、数字「３」を「∧」を１８０°回転させた形状で表し、数字「４」を「∧」を右回りに２７０°回転させた形状で表し、数字「５」を「／」の形状で表し、数字「９」を「▽」の形状で表し、数字「８」を「▽」を右回りに９０°回転させた形状で表し、数字「７」を「▽」を１８０°回転させた形状で表し、数字「６」を「▽」を右回りに２７０°回転させた形状で表し、数字「０」を「×」を含む形状で表して、前記表示部に表示させることを特徴とする。
【００１２】
これら各図形は、シンプルな形状であり、それぞれが見誤りにくい形状である。したがって、アラビア数字を使用する場合よりも、数字を正確かつ確実に認識することができ、誤配を効果的に防止することができる。
【００１３】
請求項３に記載された配送伝票表示装置は、請求項１又は２に記載のものであり、前記制御部は、前記配送物の管理に必要な温度情報、及び、前記配送物の配送に要求される配送スピード情報の少なくとも一方を、前記表示部に図形で表示させることを特徴とする。
【００１４】
図形は、一目瞭然に認識できるため、これら情報を直感的に直ちに理解することができる。
【００１５】
請求項４に記載された配送伝票表示装置は、請求項１から３のいずれかに記載のものであり、前記制御部が、前記送り主識別番号図形表示から前記受取人識別番号図形表示に向かう方向で矢印の図形を前記表示部に表示させ、前記無線通信部の受信したコマンドに基づいて、前記矢印の方向を逆向きに変更表示可能であることを特徴とする。
【００１６】
矢印は見やすく分かりやすいため、何れが受取人であるか送り主であるかを一目瞭然に認識することができる。又、矢印の方向を逆方向にすることで、受取人を送り主に変更できるため、次回使用するときに、自らの識別番号を新たに入力することなく、送り主に変更して使用することができる。
【００１７】
請求項５に記載された配送伝票表示装置は、請求項１から４のいずれかに記載のものであり、前記配送物を収容するための収容部を有すると共に、この収容部を施錠可能な電気錠が設けられている携帯型の配送容器を備え、前記電気錠は、前記制御部によって施錠及び開錠が制御されていて、前記制御部は、前記無線通信部の受信したコマンドに基づいて、前記電気錠を開錠することを特徴とする。
【００１８】
受取人は設定用の無線機器を使って収容容器の電気錠を開錠できるため、鍵が不要になり便利である。又、例えば、配送伝票表示装置が受け箱に収容されたときに受け箱の無線機器によって収容容器を開錠させてもよい。この場合、受取人は自らが開錠作業を行わなくてもよいため、手間が省け便利である。
【００１９】
請求項６に記載された受け箱は、受取人の住所の郵便番号、前記受取人の住所を管轄する配送用施設を示す配送用施設番号、前記受取人の住所に設置された受け箱を示す受け箱番号、及び、前記受取人の受け箱を使用する人の中で前記受取人に対して予め付与された前記受取人の個人番号を少なくとも含んで受取人識別番号が決められており、０、１、２、３、４、５、６、７、８、９の１０種の各数字に対する少なくとも１０種の図形が予め規定されていて、前記受取人識別番号の各数字を前記図形を用いて表現した受取人識別番号図形表示が表示部に表示されている配送伝票表示装置を用いて配達される配送物の受け箱であって、前記配送物を入れるための入口扉と、前記入口扉に設けられた電気錠と、デジタルカメラと、前記デジタルカメラが撮像した前記表示部のデジタル写真を画像処理して前記受取人識別番号図形表示を検出し、前記受取人識別番号に変換して出力する画像処理部と、その受け箱の住所の郵便番号、前記受け箱の住所を管轄する配送用施設を示す配送用施設番号、前記受け箱を示す受け箱番号を予め記憶する記憶部と、前記画像処理部の出力する前記受取人識別番号に含まれる郵便番号、配送用施設番号、及び受け箱番号と、前記記憶部に記憶されている前記受け箱の郵便番号、配送用施設番号、及び受け箱番号とを比較して、一致しているときに前記電気錠を開錠させる制御部とを、備えることを特徴とする。
【００２０】
この場合、配送伝票表示装置が配達先として正しい受取人の受け箱に配達されるときに入口扉が開き、配達先として誤った受け箱では入口扉が開かないので、誤配を確実に防止することができる。
【発明の効果】
【００２１】
本発明の配送伝票表示装置によれば、アラビア数字を用いずに数字を正確に認識することが可能になるため、誤配を防止することができると共に、配達員を含む第三者に対し個人情報を知られることなく受取人及び送り主を示すことができる。又、本発明の受け箱によれば、配送伝票表示装置と組み合わせて使用することで、誤配を確実に防止することができる。
【図面の簡単な説明】
【００２２】
【図１】本発明を適用する配送伝票表示装置の平面図である。
【図２】本発明を適用する配送伝票表示装置を使用する配送システムの構成例を示す概要図である。
【図３】本発明を適用する配送伝票表示装置に表示する数字を示す図形である。
【図４】本発明を適用する配送伝票表示装置に表示する数字「０」を示す他の図形の例である。
【図５】図３、図４に表した数字を示す図形の表現方法の説明図である。
【図６】本発明を適用する配送伝票表示装置に表示する温度図形表示、配送スピード図形表示、及び温度・配送スピード図形表示である。
【図７】本発明を適用する配送伝票表示装置の別の表示例である。
【図８】インターネットに接続されたデータベースの使用状態を示す説明図である。
【図９】本発明を適用する他の配送伝票表示装置の斜視図である。
【図１０】本発明を適用する他の配送伝票表示装置の電気的なブロック図である。
【図１１】本発明を適用する他の配送伝票表示装置に適した受け箱の斜視図である。
【図１２】本発明を適用する他の配送伝票表示装置に適した受け箱の電気的なブロック図である。
【発明を実施するための形態】
【００２３】
以下、本発明を実施するための形態を詳細に説明するが、本発明の範囲はこれらの形態に限定されるものではない。
【００２４】
図１に示す配送伝票表示装置１は、郵便物、宅配物などの配送物の受取人の情報及び送り主の情報を、氏名（個人情報）を示すことなく表示すると共に、視認しやすい形状の図形を用いて表示するものである。配送伝票表示装置１は、配送物又はその収容容器に付されて配送物と共に配達される。
【００２５】
配送伝票表示装置１は、全体的に薄いシート状に形成されており、外部から視認可能に設けられた表示部２、並びに、内部に設けられた無線通信部３、アンテナ４、記憶部５、制御部６、及び電源７を備えている。表示部２は、電気的な制御で表示を書き換え可能なものであり、例えばフレキシブル性を有する液晶表示フィルムである。無線通信部３は、無線によりデータの送受信が可能なもので、後述する受取人識別番号及び送り主識別番号や、制御用のコマンド（命令）を受信する。アンテナ４は、例えば銅箔パターンによってループアンテナ形状に形成されていて、無線通信部３に接続されている。記憶部５は、半導体メモリーである。制御部６は、表示部２の表示の制御、無線通信部３の送受信の制御、受信内容の判別、及び、記憶部５の読み書き制御などの各部の制御を行う。制御部６は、無線通信部３の受信した受取人識別番号及び送り主識別番号を記憶部５に記憶させる。無線通信部３、記憶部５、及び制御部６として、ＩＣタグに用いられているような１チップで形成された半導体ＩＣを用いることが好ましい。電源７は、各部の動作用の電池である。電源７として、太陽電池及び二次電池を用いてもよい。
【００２６】
図１に示すように、表示部２には、受取人及び送り主の情報を表示する情報表示領域１１、１２、及び矢印１３を、制御部６が表示させる。矢印１３は、情報表示領域１１、１２の間に表示させる。矢印１３の方向で、何れの情報表示領域１１、１２が受取人であるか送り主であるかを示す。同図の例では、矢印１３の示す先に表示された情報表示領域１１が受取人の情報であり、情報表示領域１２が送り主の情報である。矢印１３の方向は、無線通信部３の受信したコマンドに基づいて、制御部６が変更して表示可能である。
【００２７】
本発明の特徴は、受取人及び送り主の情報として、それぞれ複数の数字で表現した識別番号を用いると共に、配送伝票表示装置１の表示部２（情報表示領域１１、１２）には、これら識別番号の各数字をアラビア数字ではなく、予め決められた特定の図形で数字を表現した識別番号図形表示２０を表示するという点にある。つまり、０、１、２、３、４、５、６、７、８、９の１０種の各数字に対応する少なくとも１０種の図形が予め設定（規定）されていて、制御部６は、記憶部５に記憶されている受取人識別番号及び送り主識別番号の各数字を読み込んで、図形を用いて受取人識別番号図形表示及び送り主識別番号図形表示を表して、表示部２に表示させる。図形には、記号が含まれるものとする。なお、本明細書では、受取人の識別番号を受取人識別番号、送り主の識別番号を送り主識別番号、受取人の識別番号図形表示を受取人識別番号図形表示、送り主の識別番号図形表示を送り主識別番号図形表示ともいう。
【００２８】
図２に、識別番号の付与方法を示すために、配送伝票表示装置１を使用する配送システムの構成例を示す。同図に示すように、この配送システムでは、郵便番号がカバーする住所エリア内に、配送用施設として１以上の集配センター（上位局）が設けられている。各集配センターには、個別に識別可能な集配センター番号が予め付与されている。集配センター番号は一例として２桁の番号で表される。集配センターの下位層に当たる配送用施設として、１以上のサテライト（下位局）が設けられている。各サテライトには、個別に識別可能なサテライト番号が予め付与されている。サテライト番号は一例として５桁の番号で表される。サテライトの下位層には、受取人（又は送り主）の住所（すなわち各家庭や会社）に設置されている受け箱がある。受け箱は配送物を配達するための箱である。受け箱には、個別に識別可能な受け箱番号が予め付与されている。受け箱番号は一例として４桁の番号で表される。受け箱を使用する人には、個人を識別可能な個人番号が予め付与されている。個人番号は、受け箱を使用する人同士の中で個人を特定可能であればよいので、受け箱ごとに任意の番号を付与できる。個人番号は一例として２桁の番号で表される。郵便番号から受け箱までの配送用施設の階層の数（深さ）や名称、各番号の桁数は適宜変更してもよい。なお、集配センター及びサテライトが、本発明における受取人（又は送り主）の住所を管轄する配送用施設に当たり、集配センター番号及びサテライト番号が、配送用施設番号に相当する。
【００２９】
このように、郵便番号から個人番号までを階層構造化して示す配送システムでは、受取人の住所を示す郵便番号、集配センター番号、サテライト番号、受け箱番号、及び受取人の個人番号を少なくとも含んでいる受取人識別番号を用いることで、受取人の住所及び氏名を文字で表示することなく、受取人を示すことができる。同様に、送り主の住所を示す郵便番号、集配センター番号、サテライト番号、受け箱番号、及び送り主の個人番号を少なくとも含んでいる送り主識別番号を用いることで、送り主を示すことができる。
【００３０】
図１に示すように、情報表示領域１１、１２には、識別番号図形表示２０を、一例として横３列で表示させる。識別番号図形表示２０には、上下の判別ができるように各列の図形の数や位置を異ならせて配分して表示させることが好ましい。例えば、各列には、図形を表示するための四角形状の枠Ｗを一列につき７個表示させる。３列の内の一番上の１列目は、７個の枠Ｗを３個と４個に「−」で分けて表示させる。２列目は、７個の枠Ｗを２個と５個に「−」で分けて表示させる。３列目は、７個の枠Ｗを１個と４個と２個に「−」で分けて表示させる。このように表示すると、識別番号図形表示２０（配送伝票表示装置１）の上下を逆にしたときに、枠Ｗの配分が変わるため、上下の判別を行うことができる。例えば枠Ｗが３個と４個に「−」で分けて表示されている方が１列目（上）であることが分かる。枠Ｗを他の配分で配置してもよい。なお、枠Ｗ自体は常に表示されるので、液晶等で表示させずに印刷等で表示させてもよい。
【００３１】
識別番号図形表示２０を横３列で示す場合、一例として、１列目には、郵便番号の各数字を図形で表現した郵便番号図形表示２１を表示させる。２列目には、集配センター番号及びサテライト番号の各数字を図形で表現した集配センター番号図形表示２２及びサテライト番号図形表示２３を表示させる。３列目には、受け箱番号の各数字を図形で表現した受け箱番号図形表示２５、及び個人番号の各数字を図形で表現した個人番号図形表示２６を表示させる。
【００３２】
又、３列目には、配送物の管理に必要な温度情報、及び、配送物の配送に要求される配送スピード情報の少なくとも一方の情報を、図形で表現した温度・配送スピード図形表示２４ｃを使用して表示させることが好ましい。配送物の管理に必要な温度情報とは、配送物の保管時や輸送時に配送物をどのような温度で管理すべきかを示すもので、例えば、「低温」、「常温」、「高温」を示す情報である。配送スピード情報は、例えば、「速達」、「普通」、配達速度に制限がない「フリー」を示す情報である。これらは、オプション的な表示であるため、表示は無くてもよい。又、他のオプション的な情報を図形で表示させてもよい。温度・配送スピード図形表示２４ｃの表示位置を別の位置に適宜変更してもよい。
【００３３】
図３に、０〜９のアラビア数字に対応する１０種の図形の具体例を示す。同図に示すように、数字「１」は「∧」の形状で枠Ｗの下半分に表し、数字「２」は「∧」を右回りに９０°回転させた形状で枠Ｗの左半分に表し、数字「３」は「∧」を１８０°回転させた形状で枠Ｗの上半分に表し、数字「４」は「∧」を右回りに２７０°回転させた形状で枠Ｗの右半分に表す。数字「５」は「／」の形状で表す。数字「９」は「▽」の形状で枠Ｗの上半分に表し、数字「８」は「▽」は右回りに９０°回転させた形状で枠Ｗの右半分に表し、数字「７」は「▽」を１８０°回転させた形状で枠Ｗの下半分に表し、数字「６」は「▽」を右回りに２７０°回転させた形状で枠Ｗの左半分に表す。数字「０」は「×」の形状で表す。
【００３４】
図３に示す図形は、足し合わせて１０になる２つの数字を示す図形同士を１つの枠Ｗ内に表示したときに、数字「０」を示す「×」を含む形状が形成されるように形状及び向きが設定されている。例えば、数字「１」を表す枠Ｗの下半分の「∧」の形状と、数字「９」を表す枠Ｗの上半分の「▽」の形状とを同じ枠Ｗ内に表示すると、「×」を含む形状が現れる。配達員はこれら図形の意味する数字を覚える必要があるが、上記のように数字に対する図形の形状に特定の規則性を持たせたことで、各数字に対する図形が覚えやすくなる。
【００３５】
なお、図４に示すように、数字「０」を（１）〜（４）に示す図形で表してもよい。図３、図４に示した数字「０」を表す５種類の図形のうちのいずれか１種類のみを用いてもよいし、５種類のうちのいずれの図形を用いるかによって特定の意味を付加するようにしてもよい。例えば、数字「０」として通常は図３に示した図形を用いるが、「親展」を表すときには数字「０」に図４（１）〜（４）のいずれかの図形を用いるようにしてもよい。つまり少なくとも１０種の図形を用いれば数字の０〜９を表すことができるが、１０種よりも多い図形を用いることで、数字「０」に限らず特定又は全ての数字に対し複数の図形を割り当てて使用することができる。したがって、各数字に対していずれの図形を用いるかによって特定の意味を付加することができる。
【００３６】
図３、図４に示すように、各図形はシンプルな形状であり、それぞれを見誤りにくい形状である。したがって、アラビア数字を使用する場合よりも、数字を正確かつ確実に認識することができ、誤配を効果的に防止することができる。
【００３７】
各図形を枠Ｗ内に配置する位置（下半分、右半分、上半分、左半分）を規定せず、各図形を枠Ｗ内の任意の位置に任意の大きさで表示するようにしてもよい。又、数字を異なる形状の図形で表してもよい。
【００３８】
なお、図３に示した各図形は、次のように表現することができる。図５に示すように、枠Ｗの内側に、９個の図形描画用ポイントａ、ｂ、ｃ、ｄ、ｅ、ｆ、ｇ、ｈ、ｉを設定しておく。９個の図形描画用ポイントは、枠Ｗ内に、縦３列×横３行のマトリクス状に配置されている。枠Ｗ内の下側に横に並べて図形描画用ポイントａ、ｂ、ｃが配置され、枠Ｗ内の中程に横に並べて図形描画用ポイントｄ、ｅ、ｆが配置され、枠Ｗ内の上側に横に並べて図形描画用ポイントｇ、ｈ、ｉが配置されている。図形描画用ポイントｅが枠Ｗの中央に配置されている。図形描画用ポイントａ、ｃ、ｉ、ｇが四隅に位置して形成される四角形は、枠Ｗよりも小さな大きさになっている。
【００３９】
数字「１」を表す図形は、図形描画用ポイントａ→ｅ→ｃの順で繋いだ図形である。数字「２」を表す図形は、図形描画用ポイントｇ→ｅ→ａの順に繋いだ図形である。数字「３」を表す図形は、図形描画用ポイントｇ→ｅ→ｉの順に繋いだ図形である。数字「４」を表す図形は、図形描画用ポイントｉ→ｅ→ｃの順に繋いだ図形である。数字「５」を表す図形は、図形描画用ポイントｉ→ｅ→ａの順に繋いだ図形である。数字「６」を表す図形は、図形描画用ポイントｇ→ｅ→ａ→ｇの順に繋いだ図形である。数字「７」を表す図形は、図形描画用ポイントｃ→ｅ→ａ→ｃの順に繋いだ図形である。数字「８」を表す図形は、図形描画用ポイントｉ→ｅ→ｃ→ｉの順に繋いだ図形である。数字「９」を表す図形は、図形描画用ポイントｉ→ｅ→ｇ→ｉの順に繋いだ図形である。なお、スタートする図形描画用ポイントや、線を描く順序（この順で描くか、逆順で描くか、右回りに描くか、左回りに描くか）等は適宜変更してもよい。
【００４０】
同様に、図４（１）に示した数字「０」を表す図形は、図形描画用ポイントａ→ｉ→ｇ→ｃの順に繋いだ図形である。図４（２）に示した数字「０」を表す図形は、図形描画用ポイントｇ→ｃ→ｉ→ａの順に繋いだ図形である。図４（３）に示した数字「０」を表す図形は、図形描画用ポイントｇ→ｃ→ａ→ｉの順に繋いだ図形である。図４（４）に示した数字「０」を表す図形は、図形描画用ポイントｉ→ａ→ｇ→ｃの順に繋いだ図形である。
【００４１】
各図形は、枠Ｗの中央に位置する図形描画用ポイントｅを必ず通るように設定されている。なお、手書き用の配送伝票や手書き用の葉書、封筒の場合、少なくとも枠Ｗの中央に図形描画用ポイントｅが印刷等で表示されていると、その図形描画用ポイントｅを通るように図形を描けばよいという目安が出来るので、手書きであっても図形の形状を正確に描くことができる。図形描画用ポイントａ、ｂ、ｃ、ｄ、ｅ、ｆ、ｇ、ｈ、ｉの全てを枠Ｗに表示しておくと、各図形を手書きで一層描き易くなる。任意の一部の図形描画用ポイントだけを表示させてもよい。また、各図形の形状を破線等で示すガイド線Ｘを表示させておくことで、各図形を手書きで一層描きやすくなる。したがって、描いた図形の形状が崩れにくくなり、図形の形状の判別が容易になる。
【００４２】
図６に、温度図形表示２４ａ、配送スピード図形表示２４ｂ、及び温度・配送スピード図形表示２４ｃの表示例を示す。同図に示すように、温度情報を示す温度図形表示２４ａは、「低温」は枠Ｗの下部に位置する横線図形、「常温」は枠Ｗの中程に位置する横線図形、「高温」は枠Ｗの上部に位置する横線図形で示す。配送スピード情報を示す配送スピード図形表示２４ｂは、「速達」は枠Ｗの左部に位置する縦線図形、「普通」は枠Ｗの中程に位置する縦線図形、「フリー」は枠Ｗの右部に位置する縦線図形で示す。温度情報と配送スピード情報との両方を示すときは、両情報を示す図形を枠Ｗに一緒に表示させた温度・配送スピード図形表示２４ｃを表示すればよい。例えば、同図の右側に示すように、「常温」及び「普通」を示すときは、横線と縦線を合わせた「+」の形状の図形を枠Ｗに表示させる。温度・配送スピード図形表示２４ｃは、受取人側に表示することが好ましいが、送り主側に示してもよい。
【００４３】
なお、図７に示すように、温度図形表示２４ａと、配送スピード図形表示２４ｂとを別々の枠Ｗに表示させてもよい。同図に示す識別番号図形表示２０ａ、温度図形表示２４ａ、及び配送スピード図形表示２４ｂは、１列目に、郵便番号図形表示２１を表示させ、２列目に、集配センター番号図形表示２２、配送スピード図形表示２４ｂ、及びサテライト番号図形表示２３ａをこの順に「−」で分けて表示させると共に、３列目に、温度図形表示２４ａ、受け箱番号図形表示２５、及び個人番号図形表示２６をこの順に「−」で分けて表示させた例である。この例では、サテライト番号図形表示２３ａを４桁の番号で表現している。同図の例であっても、枠Ｗを３個と４個に分けて表示されている郵便番号図形表示２１が上側であることが分かる。温度図形表示２４ａ及び配送スピード図形表示２４ｂを表示させる列や列内の位置は、適宜変更してもよい。
【００４４】
次に、この配送伝票表示装置１の使用方法について説明する。
【００４５】
受取人及び送り主の識別番号は、以下のようにデータベース化しておくことで、誰でも簡単に調べることができる。
【００４６】
図８に示すように、住所及び氏名に対応させて、郵便番号、集配センター番号、サテライト番号、受け箱番号、個人番号をホストコンピュータにデータベース化しておく。ホストコンピュータをインターネットに接続しておくことで、誰でもスマートフォン（インターネット接続可能な多機能携帯電話）やコンピュータを使ってインターネットに接続することで、データベースを利用することができる。
【００４７】
識別番号の内の郵便番号、集配センター番号、サテライト番号、受け箱番号については、住所に関する番号であるので、集配業者が予め住所に対応付けてデータベースに予め登録しておく。送り主、受取人等の利用者がこれら番号を自分でデータベースに登録してもよい。一方、個人番号は個人情報として重要な氏名に対応するものであるため、利用者が氏名に対応付けて自分で個人番号をデータベースに登録する。利用者はデータベースに登録された個人番号をいつでも変更することができる。
【００４８】
送り主は、送り主及び受取人の住所及び氏名を知っている。送り主は、送り主及び受取人の住所及び氏名をデータベースに入力し検索することで、送り主及び受取人の識別番号を知ることができる。なお、個人情報を保護するために、データベースに識別番号を入力しても氏名の検索ができないようにしておく。郵便番号、集配センター番号、サテライト番号、受け箱番号については、住所に関する番号であるので、配達員が配達を行う必要性から、データベースで検索して集配センター、サテライト、受け箱の住所が分かるようにしてもよい。
【００４９】
送り主は、配送伝票表示装置１と無線通信可能な無線機器を使い、データベースから得た受取人及び送り主の識別番号を配送伝票表示装置１に無線送信する。又、送り主は、無線機器を使い、温度情報及び配送スピード情報を配送伝票表示装置１に無線送信する。配送伝票表示装置１（制御部６）は、無線通信部３が受信した受取人及び送り主の識別番号、並びに温度情報及び配送スピード情報を、記憶部５に記憶する。続いて、配送伝票表示装置１は、受取人及び送り主の識別番号、並びに温度情報及び配送スピード情報を、図形で表現して、受取人及び送り主の識別番号図形表示２０、並びに温度・配送スピード図形表示２４ｃを表示部２に表示する。なお、温度情報及び配送スピード情報を変更しない場合には、温度・配送スピード図形表示２４ｃを無線で変更可能にせずに、表示部２に固定的に表示するようにしてもよい。
【００５０】
配送伝票表示装置１は、スマートフォンと無線通信できる無線通信部３を備えることが好ましい。スマートフォンは、携帯電話回線、無線LAN、Bluetooth（登録商標）等と無線通信できる機能を有している。配送伝票表示装置１の無線通信部３が、スマートフォンのいずれかの無線通信機能に対応することで、スマートフォンを無線機器として使い、配送伝票表示装置１に対し、受取人及び送り主の識別番号、温度・配送スピード情報、及び矢印の向き等の各種設定を行うことができる。スマートフォンには、配送伝票表示装置１を設定可能なアプリケーションソフトウエアを予めインストールしておく。
【００５１】
スマートフォンを使うことで、インターネット上のデータベースで検索して得た受取人及び発送主の識別番号を、そのまま手入力することなくスマートフォンから配送伝票表示装置１に無線送信して設定することができる。なお、スマートフォンの数字等の文字入力機能を使い、識別番号を手入力して、配送伝票表示装置１に無線送信してもよい。又、スマートフォンはタッチパネルを有しているので、タッチパネル上に指やタッチペンを使って図３、図６に示す数字や温度等に対応する図形を描くことで識別番号や温度情報等を入力できるようにしてもよい。その際には、スマートフォンのタッチパネル上に、図５に示した図形描画用ポイントａ〜ｉ、及びガイド線Ｘを表示させることが好ましい。
【００５２】
スマートフォン（無線機器）は、配送伝票表示装置１に対し、受取人及び送り主であるという情報を付して識別番号を送信する。この場合、配送伝票表示装置１の制御部６は、識別番号に付された情報から受取人であるか、送り主であるかを判別できるので、送り主から受取人に向かう向きで矢印１３を表示させる。又、スマートフォンは、表示部２に対し向かって左側の情報表示領域１１（図１参照）に表示させる識別番号、表示部２に対し向かって右側の情報表示領域１２に表示させる識別番号、及び、矢印１３の向きというように、表示させる位置や向きを指定して送信するようにしてもよい。この場合、配送伝票表示装置１の制御部６は、指示通りの位置、向きで表示させる。また、制御部６は、矢印１３の向きで、何れの識別番号が受取人であるか送り主であるかを判別できる。
【００５３】
配達員が配達時に受け箱の具体的な位置を把握しやすいように、識別番号（郵便番号、集配センター番号、サテライト番号、受け箱番号）から、受け箱の位置（住所）や配送用施設の位置を示す地図をスマートフォンに表示可能にすることが好ましい。この場合、スマートフォンは、インターネット経由で図８に示したデータベース等が提供する地図を表示するようにしてもよいし、予め受け箱等の位置を示す地図データをスマートフォンにインストールしておいて表示するようにしてもよい。
【００５４】
図１に示すように、配送伝票表示装置１は、薄いシート状であるので、配送物の封筒や箱に直接貼り付けて使用することができる。配送伝票表示装置１は表示を書き換え可能であるので、繰り返し使用可能な封筒や箱に配送伝票表示装置１を貼り付けることで、その封筒や箱を配送に繰り返し使用することができる。したがって、ごみの量を削減することができるため、環境にやさしく、省エネルギーである。一度配送に使った封筒や箱から配送伝票表示装置１を取り外し、別の箱等に取り付けて使用してもよい。
【００５５】
配送伝票表示装置１を再度使用するときに、配送伝票表示装置１の表示をすべて新たに書き換えて使用してもよいが、受取人と送り主を入れ替えて使用する場合には、無線による制御で、矢印１３の向きを逆向きに表示させて使用すればよい。又、自分に届いた配送伝票表示装置１を使用する場合、矢印１３の向きを逆向きに表示させると、受取人として表示されていた自分の識別番号図形表示２０が送り主を意味するようになる。そのため、送り主として識別番号を再入力する必要がなく、新たに受取人になる識別番号図形表示２０だけを書き換えればよいため、入力のための手間を省くことができる。
【００５６】
配達人は、郵便番号、集配センター番号、サテライト番号、受け箱番号から配達先の場所を特定し、配送伝票表示装置１（配送物）を受け箱に投入することで配達が完了する。したがって、配達員であっても、受取人及び送り主の氏名を知ることはできず、個人情報を確実に保護することができる。
【００５７】
又、数字を図形で表示しているため、数字と図形との対応関係を知らない人にとっては、どのような数字が表示されているかが分からないことから、個人情報を一層確実に保護することができる。
【００５８】
送り主は自分の氏名等の情報を示す書類等を配送物に入れておくことで、受取人は誰が送り主であるかを知ることができる。又は、送り主が受取人に対し、配送物を送ったことを示す電子メールを送るようにしてもよい。又は、送り主が受取人に配送を行うという情報を図８に示したデータベースに登録を行うと、データベースのホストコンピュータから受取人に対し電子メール等で送り主の情報を自動的に通知するようにしてもよい。又は、スマートフォン等でそのデータベースに受取人がアクセスすることで、送り主の情報を得られるようにしてもよい。
【００５９】
次に、本発明を適用する他の配送伝票表示装置１ａについて説明する。
【００６０】
図９に、配送伝票表示装置１ａの斜視図を示す。この配送伝票表示装置１ａは、配送伝票表示装置１が収容容器３１を備えているものである。以下の説明では、配送伝票表示装置１と同様の構成については、同じ符号を付して詳細な説明を省略する。
【００６１】
配送伝票表示装置１ａは、一例として、携帯型の収容容器３１の表面に、表示部２が視認可能に設けられているものである。収容容器３１は、内部に配送物を収容するための収容部（不図示）、収容部を開閉する蓋３２、蓋３２の開閉をロックすることで収容部を施錠可能な電気錠３３、及び取っ手３４を有している。収容容器３１は、携帯が可能なものであれば、同図に示す手持ち鞄（アタッシェケース）の形状のものの他に、手提げ鞄、肩掛け鞄、リュックサック、又は封筒などの他の形状のものであってもよい。
【００６２】
表示部２には、配送伝票表示装置１と同様に、受取人及び送り主の識別番号図形表示２０、温度・配送スピード図形表示２４ｃ、並びに矢印１３が表示される。
【００６３】
図１０に、配送伝票表示装置１ａの電気的なブロック図を示す。配送伝票表示装置１ａは、配送伝票表示装置１と同様に、表示部２、無線通信部３、アンテナ４、記憶部５、制御部６ａ、及び電源７を備えると共に、電気錠３３、及び温度調節部３５を備えている。制御部６ａは、各部を制御する。
【００６４】
電気錠３３は、制御部６ａによって電気的に施錠及び開錠が制御される。制御部６ａは、無線通信部３が施錠や解除を示す制御用のコマンドを受信したときに、電気錠３３の施錠や開錠を行う。利用者は、スマートフォンなどの無線機器から電気錠３３の施錠及び開錠を指示することができる。
【００６５】
温度調節部３５は、収容容器３１（図９参照）の収容部の温度を調整可能なものであり、低温に冷却するための冷却器（例えばペルチェ素子）、及び高温に加熱するための加熱器（例えば電気ヒーター）を備えている。電源７には、必要な電力容量を有するものを用いる。温度調節部３５は、制御部６ａによって温度を制御される。
【００６６】
制御部６ａは、無線通信部３を介して設定された温度情報を記憶部５に記憶させる。制御部６ａは、収容容器３１の収容部内の温度が記憶部５に記憶された温度情報に合致するように、温度調節部３５を制御する。このため、収容容器３１の収容部が所望の一定の温度になる。したがって、例えば、低温貯蔵の必要な物（例えば生もの）の配送や、比較的に高温で貯蔵したほうが好ましい物（例えば果物）の配送を行うことができる。
【００６７】
温度情報が「低温」の場合の具体的な温度（例えば７℃）、及び「高温」の場合の具体的な温度（例えば４０℃）は予め規定しておく。無線通信により、温度を数値で細かく設定できるようにしてもよい。
【００６８】
なお、配送物の温度管理の必要性に応じて、温度調節部３５が冷却器及び加熱器のいずれか一方だけを備えていてもよいし、常温による配送だけでよい場合、温度調節部３５を備えなくてもよい。
【００６９】
図１１に、配送伝票表示装置１ａ（及び配送伝票表示装置１）を配達する（入れる）のに適した受け箱４１を示す。受け箱４１は、各家庭や会社に設置されて使用される。
【００７０】
受け箱４１は、一例として、箱形に形成されており、正面に入口扉４２、取出扉４４、デジタルカメラ４８、及び撮像スイッチ４７を備え、上面にアンテナ４９、及び太陽電池５０を備えている。又、正面（この例では取出扉４４）の視認しやすい位置には、塗料又はシールによって受け箱番号の文字を示す受け箱番号表示６１が付されている。
【００７１】
入口扉４２は、配送伝票表示装置１ａの入口になる開閉式の扉である。入口扉４２は、通常閉じた状態であり、箱内に向かって押し開くと受け箱４１が開口する。入口扉４２には、電気的に施錠及び開錠が可能な第１の電気錠４３が設けられている。取出扉４４は、配送伝票表示装置１ａの取出口になる開閉式の扉である。取出扉４４に設けられた取っ手４５を手前に引くことで、取出扉４４が手前に斜めに持ち上がり受け箱４１が開口する。取出扉４４には、第２の電気錠４６が取り付けられている。
【００７２】
図１２に、受け箱４１の電気的なブロック図を示す。同図に示すように、受け箱４１は、アンテナ４９、無線通信部５１、制御部５２、記憶部５３、撮像スイッチ４７、デジタルカメラ４８、画像処理部５４、第１の電気錠４３、第２の電気錠４６、収容検出センサ５５、及び電源５６を備えている。
【００７３】
アンテナ４９及び無線通信部５１は、配送伝票表示装置１ａの無線通信部３と通信可能であると共に、スマートフォン等の設定用の無線機器と通信可能なものである。無線通信部５１は制御部５２に制御される。記憶部５３には、受け箱４１の郵便番号、集配センター番号、サテライト番号、受け箱番号が予め記憶されている。これら番号は、受け箱４１の設置時に予め設定される。記憶部５３は、制御部５２に制御されて読み書き可能である。撮像スイッチ４７は、デジタルカメラ４８で撮像する時に押すための押しボタンである。デジタルカメラ４８は、撮像スイッチ４７が押されたときに撮像したデジタル写真のデータを画像処理部５４に出力する。画像処理部５４は、デジタルカメラ４８が撮像したデジタル写真を画像処理して、配送伝票表示装置１ａの表示部２に表示された受取人の識別番号図形表示２０を検出し、受取人識別番号に変換して制御部５２に出力可能に構成されている。
【００７４】
電気錠４３、４６はそれぞれ制御部５２に施錠及び開錠を制御される。収容検出センサ５５は、受け箱４１の内部の収容部に配送伝票表示装置１ａが収容されたことを検出するためのセンサである。収容検出センサ５５は、例えば、受け箱４１の内部に設けられた接触式スイッチ、又は重量検出センサである。電源５６は、太陽電池５０及び二次電池５７を備えている。電源５６は、太陽が出ている間は太陽電池５０の発電した電力を各部に供給すると共に二次電池５７を充電し、夜間等の太陽が出ていない間は二次電池５７から各部に電力を供給する。なお、電源５６として一次電池を用いてもよいし、商用交流電源を用いてもよい。
【００７５】
次に、受け箱４１及び配送伝票表示装置１ａの動作について説明する。
【００７６】
制御部５２は、通常状態では、電気錠４３を制御して入口扉４２を施錠すると共に、電気錠４６を制御して取出扉４４を施錠する。このため、入口扉４２及び取出扉４４は閉じた状態でロックされている。
【００７７】
配達員は、配送伝票表示装置１ａ（図１１参照）を受け箱４１に配達するときに、配送伝票表示装置１ａの表示部２を受け箱４１のデジタルカメラ４８に向けて撮像スイッチ４７を押す。これにより、デジタルカメラ４８が、表示部２のデジタル写真を撮像し、画像処理部５４に出力する。画像処理部５４は、デジタルカメラ４８が撮像したデジタル写真を画像処理して、配送伝票表示装置１ａの受取人識別番号を判別し、制御部５２に出力する。制御部５２は、出力された受取人識別番号の郵便番号、集配センター番号、サテライト番号、受け箱番号と、記憶部５３に記憶されている受け箱４１の郵便番号、集配センター番号、サテライト番号、受け箱番号とを比較して、一致しているときに電気錠４３を開錠する。これにより、配達員は、入口扉４２から配送伝票表示装置１ａを入れることができる。
【００７８】
一方、制御部５２は、受取人識別番号の郵便番号、集配センター番号、サテライト番号、受け箱番号と、受け箱４１の郵便番号、集配センター番号、サテライト番号、受け箱番号とが一致していないときは、電気錠４３を開錠しない。したがって、入口扉４２が開かず配送伝票表示装置１ａを入れられないため、誤配を確実に防止することができる。
【００７９】
配送伝票表示装置１ａが受け箱４１に入れられたとき、収容検出センサ５５が配送伝票表示装置１ａを検出する。この検出により制御部５２は、無線通信部５１から開錠コマンドを無線で送信させる。開錠コマンドは、配送伝票表示装置１ａの電気錠３３（図１０参照）の開錠を指示するコマンドである。又、制御部５２は、開錠コマンドと一緒に、矢印反転コマンドを送信させてもよい。矢印反転コマンドは、表示部２の矢印１３（図９参照）の向きを逆向きに表示させるコマンドである。これらコマンドは、受け箱４１に入れられた配送伝票表示装置１ａに対してだけ指示するために、例えば受取人識別番号を指定することで選択的に指示を行う。撮像したデジタル写真から送り主識別番号も画像処理で検出しておき、受取人識別番号及び送り主識別番号を指定することで、受け箱４１の内部の配送伝票表示装置１ａだけに選択的に指示をしてもよい。
【００８０】
配送伝票表示装置１ａの制御部６ａ（図１０参照）は、無線通信部３が開錠コマンドを受信したときに、電気錠３３を開錠する。このため、受取人は、受け箱４１から配送伝票表示装置１ａを取り出した後に、自らがスマートフォン等を操作して開錠作業をする必要がなくなるため、直ちに収容容器３１（図９参照）を開けて配送物を取り出すことができる。開錠コマンドは、受け箱４１の中に配送伝票表示装置１ａが入った状態で送信されるので、配達人が配送伝票表示装置１ａを開けてしまうことがない。
【００８１】
又、配送伝票表示装置１ａの制御部６ａ（図１０参照）は、無線通信部３が矢印反転コマンドを受信したときに、表示部２の矢印１３（図９参照）を逆向きに表示させる。これは、次回に配送伝票表示装置１ａを使うときの手間を省くためである。つまり、次回、配送伝票表示装置１ａを使うときに、すでに矢印１３の向きが逆向きに変わっているため、前回受取人だった自分の識別番号図形表示２０を送り主にするために自らがスマートフォン等を操作して矢印１３の向きを変える操作が不要になる。
【００８２】
配送伝票表示装置１ａを受け箱４１から取り出すときは、受取人は、スマートフォン等を用いて、受け箱４１に開錠コマンドを送信する。受け箱４１の制御部５２（図１２参照）は、無線通信部５１が受け箱４１の開錠コマンドを受信したときに、取出扉４４の電気錠４６を開錠する。これにより、受取人は、取出扉４４を開いて、配送伝票表示装置１ａを取り出すことができる。スマートフォンの操作で第三者が勝手に取出扉４４を開けることができないように、受け箱４１の開錠コマンドを暗号化したり、パスワードを併用したりすることで、受け箱４１の所有者だけが開錠できるようにすることが好ましい。
【００８３】
受け箱４１は、識別番号図形表示２０を手書きで記載した配送伝票であっても、識別番号図形表示２０の形状が判別しやすい形状であるため、画像処理で識別番号を正確に識別することができる。このため、受け箱４１は、手書きの配送伝票であっても、入口扉４２を開錠すべきか否かを正しく判別できるため、誤配を確実に防止することができる。
【符号の説明】
【００８４】
１・１ａは配送伝票表示装置、２は表示部、３は無線通信部、４はアンテナ、５は記憶部、６・６ａは制御部、７は電源、１１・１２は情報表示領域、１３は矢印、２０・２０ａは識別番号図形表示、２１は郵便番号図形表示、２２は集配センター番号図形表示、２３・２３ａはサテライト番号図形表示、２４ａは温度図形表示、２４ｂは配送スピード図形表示、２４ｃは温度・配送スピード図形表示、２５は受け箱番号図形表示、２６は個人番号図形表示、３１は収容容器、３２は蓋、３３は電気錠、３４は取っ手、３５は温度調節部、４１は受け箱、４２は入口扉、４３は第１の電気錠、４４は取出扉、４５は取っ手、４６は第２の電気錠、４７は撮像スイッチ、４８はデジタルカメラ、４９はアンテナ、５０は太陽電池、５１は無線通信部、５２は制御部、５３は記憶部、５４は画像処理部、５５は収容検出センサ、５６は電源、５７は二次電池、６１は受け箱番号表示、ａ・ｂ・ｃ・ｄ・ｅ・ｆ・ｇ・ｈ・ｉは図形描画用ポイント、Ｗは枠、Ｘはガイド線である。
【図１】
2016055975.tif 000003
【図２】
2016055975.tif 000004
【図３】
2016055975.tif 000005
【図４】
2016055975.tif 000006
【図５】
2016055975.tif 000007
【図６】
2016055975.tif 000008
【図７】
2016055975.tif 000009
【図８】
2016055975.tif 000010
【図９】
2016055975.tif 000011
【図１０】
2016055975.tif 000012
【図１１】
2016055975.tif 000013
【図１２】
2016055975.tif 000014